(57)【特許請求の範囲】
【請求項１】
被写体の乳房の放射線画像を担持した放射線の照射を受けて電荷を発生し、該発生した電荷を蓄積して前記放射線画像を記録し、前記蓄積した電荷量に応じた電気信号を出力する放射線画像検出器と、該放射線画像検出器が設置される設置部と、前記放射線画像検出器の前記放射線の照射される面側に設けられた前記被写体の乳房が配置される乳房配置部とを備えた放射線乳房撮影装置において、
前記放射線画像検出器が、長方形の形状からなるものであるとともに、前記放射線の照射される面が前記被写体の胸壁に対して垂直となるように配置されたものであり、
前記設置部が、前記乳房の大きさに応じて、１枚の前記放射線画像検出器が該放射線画像検出器の短辺が前記被写体の胸壁に向き合うように設置される第１の設置状態と、前記１枚の放射線画像検出器が該放射線画像検出器の長辺が前記被写体の胸壁に向き合うように設置される第２の設置状態とを切替可能に構成されていることを特徴とする放射線乳房撮影装置。
【請求項２】
前記設置部が、前記放射線画像検出器を該放射線画像検出器の平面内で回転させて前記第１の設置状態と前記第２の設置状態とを切替可能な回転機構を有することを特徴とする請求項１記載の放射線乳房撮影装置。
【請求項３】
前記放射線画像検出器が、２次元状に多数配列されたスイッチを有し、該スイッチがオンオフ駆動されて前記電気信号を出力するものであり、
前記放射線画像検出器のスイッチをオンオフ駆動する駆動回路が、前記被写体の胸壁に向き合うことのない一辺のみに設けられているとともに、前記放射線画像検出器から出力された電気信号を検出する検出回路が、前記被写体の胸壁に向き合うことのない一辺であって前記駆動回路の設けられた一辺に直交する一辺のみに設けられていることを特徴とする請求項１または２記載の放射線乳房撮影装置。
【請求項４】
前記放射線画像検出器の２つの短辺のうちの前記被写体の胸壁に向き合うことのない短辺を含む前記放射線画像検出器の一部への前記放射線の照射を遮蔽する遮蔽部を有することを特徴とする請求項１から３いずれか１項記載の放射線乳房撮影装置。
【請求項５】
前記設置部が、前記放射線画像検出器を前記胸壁に向かって移動させる移動部を備えたことを特徴とする請求項１から４いずれか１項記載の放射線乳房撮影装置。
【請求項６】
前記移動部が、前記第１の設置状態における前記放射線画像検出器の胸壁と向き合う短辺の位置と、前記第２の設置状態における前記放射線画像検出器の胸壁と向き合う長辺の位置とを一致させるように前記放射線画像検出器を前記胸壁に向かって移動させるものであることを特徴とする請求項５記載の放射線撮影装置。
【請求項７】
前記胸壁へ向かう方向に延設されたレール部を備え、
前記移動部が、前記レール部に沿って前記放射線画像検出器を移動させるものであることを特徴とする請求項５または６項記載の放射線乳房撮影装置。
【請求項８】
前記放射線を透過する部分と前記放射線を吸収する部分とが交互に配列されたグリッドと、
前記第１の設置状態と前記第２の設置状態との切り替え前に、前記グリッドを前記放射線画像検出器上から待避させるとともに、前記第１の設置状態と前記第２の設置状態との切り替えの後に、前記グリッドを前記放射線画像検出器上に再度設置する機構とを備えたことを特徴とする請求項１から７いずれか１項記載の放射線乳房撮影装置。
【発明の詳細な説明】
【技術分野】
【０００１】
本発明は、放射線の照射を受けて放射線画像を記録する放射線画像検出器を備えた放射線乳房撮影装置に関するものであり、特に、大きさの異なる乳房の放射線画像の記録に用いられる放射線画像記録装置に関するものである。
【背景技術】
【０００２】
従来、医療分野などにおいて、被写体を透過した放射線の照射を受けて被写体に関する放射線画像を記録し、その記録された放射線画像に応じた電気信号を出力する放射線画像検出器が各種提案、実用化されている。
【０００３】
上記のような放射線画像検出器としては、たとえば、放射線の照射により電荷を発生する半導体材料を利用した放射線画像検出器があり、そのような放射線画像検出器として、いわゆる光読取方式のものやＴＦＴ読取方式のものが提案されている。
【０００４】
上記光読取方式の放射線画像検出器としては、たとえば、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状電極が平行に配列された第２の電極層をこの順に積層してなる放射線画像検出器が提案されている。
【０００５】
また、上記ＴＦＴ読取方式の放射線画像検出器としては、放射線を透過する電極層、放射線の照射を受けることにより電荷を発生する光導電層、および光導電層において発生した電荷を蓄積するコンデンサとそのコンデンサから電荷を読み出すＴＦＴスイッチとを有する検出素子が２次元状に多数配列された電気信号検出層をこの順に積層してなる放射線画像検出器が提案されている。
【０００６】
また、従来、乳房のＸ線撮影を行う乳房Ｘ線撮影装置が種々提案されており（たとえば、特許文献１参照）、上記のような放射線画像検出器を用いた乳房用Ｘ線撮影装置も提案されている。
【０００７】
ここで、上記のような乳房用Ｘ線撮影装置を用いて乳房のＸ線撮影を行う際には、被験者の乳房の大きさは様々であるため、たとえば、乳房の大きさに対して放射線画像検出器の大きさが小さい場合には、乳房の部分毎に複数回の撮影が必要となり、被験者の被曝量が多くなってしまう。また、逆に乳房の大きさに対して放射線画像検出器の大きさが大きい場合には、たとえば、圧迫板と放射線画像検出器との間に乳房を挟み、圧迫して撮影を行うような場合において、乳房だけでなく腹部まで挟んでしまい、乳房が十分に圧迫できない。また、被験者の心理的な負担も大きい。したがって、乳房のＸ線撮影においては、乳房の大きさに応じた放射線画像検出器を用いて撮影を行う必要がある。
【０００８】
【特許文献１】特開平５―１７３２６６号公報
【発明の開示】
【発明が解決しようとする課題】
【０００９】
しかしながら、被験者の乳房の大きさに合わせた放射線画像検出器をそれぞれ用意したのでは、上記のような半導体材料を利用した放射線画像検出器は高価であるため、撮影装置の値段が高くなってしまう。
【００１０】
本発明は、上記事情に鑑み、大きさの異なる乳房の放射線画像の記録を行う放射線乳房撮影装置において、１枚の放射線画像検出器を用いて乳房の大きさに適した放射線画像の記録を行うことができる放射線乳房撮影装置を提供することを目的とするものである。
【課題を解決するための手段】
【００１１】
本発明の放射線乳房撮影装置は、被写体の乳房の放射線画像を担持した放射線の照射を受けて電荷を発生し、その発生した電荷を蓄積して放射線画像を記録し、その蓄積した電荷量に応じた電気信号を出力する放射線画像検出器と、放射線画像検出器が設置される設置部と、放射線画像検出器の放射線の照射される面側に設けられた被写体の乳房が配置される乳房配置部とを備えた放射線乳房撮影装置において、放射線画像検出器が、長方形の形状からなるものであり、設置部が、１枚の放射線画像検出器がその放射線画像検出器の短辺が被写体の胸壁に向き合うように設置される第１の設置状態と、１枚の放射線画像検出器がその放射線画像検出器の長辺が被写体の胸壁に向き合うように設置される第２の設置状態とを切替可能に構成されていることを特徴とする。
【００１２】
また、上記放射線乳房撮影装置においては、設置部を、放射線画像検出器をその放射線画像検出器の平面内で回転させて第１の設置状態と第２の設置状態とを切替可能な回転機構を有するものとすることができる。
【００１３】
また、放射線画像検出器を、２次元状に多数配列されたスイッチを有するものとするとともに、スイッチがオンオフ駆動されて電気信号を出力するものとし、放射線画像検出器のスイッチをオンオフ駆動する駆動回路を、被写体の胸壁に向き合うことのない一辺のみに設けるようにするとともに、放射線画像検出器から出力された電気信号を検出する検出回路を、被写体の胸壁に向き合うことのない一辺であって駆動回路の設けられた一辺に直交する一辺のみに設けるようにすることができる。
【００１４】
また、放射線画像検出器の２つの短辺のうちの被写体の胸壁に向き合うことのない短辺を含む放射線画像検出器の一部への放射線の照射を遮蔽する遮蔽部を有するようにすることができる。
【００１５】
ここで、上記「乳房配置部」とは、放射線画像検出器を構成する筐体の放射線照射側の面であってもよいし、放射線画像検出器の放射線照射側に放射線画像検出器とは別に設けられたものでもよい。放射線画像検出器とは別に設ける場合には、たとえば、放射線を十分に透過し、かつ十分な剛性を有する部材（カーボン板やアクリル板など）から構成される天板などを利用することができる。
【発明の効果】
【００１６】
本発明の放射線画像記録装置によれば、放射線画像検出器として長方形の形状のものを利用し、その放射線画像検出器の設置部を、１枚の放射線画像検出器がその放射線画像検出器の短辺が被写体の胸壁に向き合うように設置される第１の設置状態と、１枚の放射線画像検出器がその放射線画像検出器の長辺が被写体の胸壁に向き合うように設置される第２の設置状態とを切替可能に構成するようにしたので、乳房の大きさが比較的小さい場合には、放射線画像検出器を上記第１の設置状態とし、乳房の大きさが比較的大きい場合には、放射線画像検出器を上記第２の設置状態として放射線画像の記録を行うようにすれば、１枚の放射線画像検出器で上述したような問題を招くことなく、大きさの異なる乳房の放射線画像の記録を適切に行うことができる。また、１枚の放射線画像検出器で済むのでその分装置の値段を安くすることができる。
【００１７】
また、上記放射線乳房撮影装置において、設置部を、放射線画像検出器をその放射線画像検出器の平面内で回転させて第１の設置状態と第２の設置状態とを切替可能な回転機構を有するものとした場合には、上記第１の設置状態と上記第２の設置状態の切り替えを容易に行うことができる。
【００１８】
また、放射線画像検出器を、２次元状に多数配列されたスイッチがオンオフ駆動されて電気信号を出力するものとし、放射線画像検出器のスイッチをオンオフ駆動する駆動回路を、被写体の胸壁に向き合うことのない放射線画像検出器の一辺のみに設けるとともに、放射線画像検出器から出力された電気信号を検出する検出回路を、被写体の胸壁に向き合うことのない一辺であって駆動回路の設けられた一辺に直交する一辺のみに設けるようにした場合には、被験者の胸壁に接する辺に回路を設けないので、胸壁ぎりぎりまでの放射線画像の記録を行うことができ、胸壁近傍の病変の検出に適した放射線画像の記録を行うことができる。
【００１９】
また、放射線画像検出器の２つの短辺のうちの被写体の胸壁に向き合うことのない短辺を含む放射線画像検出器の一部への放射線の照射を遮蔽する遮蔽部を有するようにした場合には、放射線画像検出器への無駄な被曝を回避でき、放射線画像検出器の寿命を延ばすことができる。
【発明を実施するための最良の形態】
【００２０】
以下、図面を参照して本発明の放射線乳房撮影装置の一実施形態を用いたＸ線乳房撮影装置について説明する。図１に本Ｘ線乳房撮影装置の概略斜視図を、図２に図１に示すＸ線乳房撮影装置の２−２線断面図を示す。
【００２１】
本Ｘ線乳房撮影装置は、図１に示すように、被写体を透過した放射線の照射をうけて被写体の放射線画像を記録する、長方形の形状からなる放射線画像検出器１２と、放射線画像検出器１２が設置される、矢印Ａ方向に回転可能に支持されたアーム部１０と、アーム部１０を回転可能に支持する軸部２０と、軸部２０が固定された基台３０とを備えている。
【００２２】
アーム部１０は、図１および図２に示すように、コの字形状で構成されており、その一端部１０ａの内部には他端部１０ｂの方向に放射線を射出する放射線源１１が設けられている。そして、他端部１０ｂには、放射線源１１から射出された放射線の照射を受ける放射線画像検出器１２が設置される設置部１３が設けられている。
【００２３】
また、アーム部１０には、図２に示すように、一端部１０ａと他端部１０ｂとの間に圧迫板１０ｃが設けられている。圧迫板１０ｃは、矢印Ｚ１方向および矢印Ｚ２方向に移動可能なようにアーム部１０に設けられており、圧迫板１０ｃと他端部１０ｂの設置部１３に設置された放射線画像検出器１２との間に被験者の乳房が挟持された状態で放射線画像の撮影が行われる。なお、圧迫板１０ｃの移動機構については図示省略してある。また、図１においては圧迫板１０ｃを図示省略してある。なお、本Ｘ線乳房撮影装置においては、上記のように放射線画像検出器１２の放射線照射側の面を乳房配置部として構成するようにしたが、これに限らず、放射線画像検出器１２の放射線照射側に放射線画像検出器１２とは別に乳房設置部を設けるようにしてもよい。この場合、たとえば、放射線を十分に透過し、かつ十分な剛性を有する部材（カーボン板やアクリル板など）から構成される天板などを利用するようにすればよい。
【００２４】
設置部１３は、図１に示すように、アーム部１０の他端部１０ｂの内部に延設されたレール部１３ａと、レール部１３ａに沿って矢印Ｙ１方向および矢印Ｙ２方向に移動可能な移動部１３ｂと、移動部１３ｂに固定されるとともに、放射線画像検出器１２を矢印Ｘ方向に回転可能に支持する回転機構部１３ｃとを備えている。
【００２５】
設置部１３は、放射線画像検出器１２が回転機構部１３ｃにより矢印Ｘ方向に回転し、放射線画像検出器１２の長辺１２ａが被験者の胸壁に接するように設置される第１の設置状態と、放射線画像検出器１２の短辺１２ｂが被験者の胸壁に接するように設置される第２の設置状態とを切替可能に構成されている。
【００２６】
図３（Ａ）に設置部１３に設置される放射線画像検出器１２の概略斜視図を、図３（Ｂ）に放射線画像検出器１２の一部断面図を示す。
【００２７】
放射線画像検出器１２は長方形の形状からなるものであり、図３（Ｂ）に示すように、放射線を透過する電極層２１、電極層２１を透過した放射線の照射により電荷を発生する、膜厚２００μｍのアモルファスセレンからなる光導電層２２、該光導電層２２において発生した電荷を電気信号として検出する電気信号検出層２３をこの順に積層してなるものである。
【００２８】
電気信号検出層２３は、図３（Ｂ）に示すように、ＴＦＴ（薄膜トランジスタ：ｔｈｉｎ ｆｉｌｍ ｔｒａｎｓｉｓｔｏｒ）スイッチ２３ａと、画素容量２３ｂと、画素電極２３ｃとからなる検出素子２３ｅがガラス基板２３ｄの表面に２次元状に多数配列されてなるものである。図４は電気信号検出層２３を上面から見た模式図である。放射線検出層２２において放射線の照射により発生した電荷は画素電極２３ｃおよび画素容量２３ｂにより形成されるコンデンサに蓄積される。ＴＦＴスイッチ２３ａは、図４に示す駆動回路部４０が発する制御信号により各行毎のゲート走査線４１を通じてオンオフ駆動されるようになっている。そして、このオンオフ駆動によりＴＦＴスイッチ２３ａに接続されたコンデンサに蓄積された電荷が電気信号として読み出される。ＴＦＴスイッチ２３ａのオンオフ駆動により読み出された電気信号は信号線４２に出力され、チャージアンプ４３により増幅され、マルチプレクサ４４およびＡ／Ｄ変換器４５を介してデジタル画像信号として読み出される。なお、放射線画像検出器１２の検出素子２３ｅの配列ピッチ、つまり画素ピッチは５０μｍ〜１００μｍであることが望ましい。
【００２９】
放射線画像検出器１２のＴＦＴスイッチ２３ａをオンオフ駆動する駆動回路部４０は、図５（Ａ）に示すように、ＩＣチップ４０ａとして放射線画像検出器１２に設けられる。ＩＣチップ４０ａは、フイルム基板であるＴＣＰ４０ｂ（Ｔａｐｅ Ｃａｒｒｉｅｒ Ｐａｃｋａｇｅ）に実装され、ＴＣＰ４０ｂはＡＣＦ（Ａｎｉｓｏｔｒｏｐｉｃ Ｃｏｎｄｕｃｔｉｖｅ Ｆｉｌｍ：異方性導電フイルム）を介して放射線画像検出器１２のゲート走査線４１に熱圧着される。そして、ＩＣチップ４０ａの実装されたＴＣＰ４０ｂは、図５（Ａ）に示すように、放射線画像検出器１２における被写体の胸壁が接しない側の短辺１２ｃのみに多数配列して設けられる。
【００３０】
また、放射線画像検出器１２から出力された電気信号を増幅するチャージアンプ４３も、図５（Ａ）に示すように、ＩＣチップ４３ａとして放射線画像検出器１２に設けられる。ＩＣチップ４３ａも、フイルム基板であるＴＣＰ４３ｂに実装され、ＴＣＰ４３ｂはＡＣＦを介して放射線画像検出器１２の信号線４２に熱圧着される。そして、ＩＣチップ４３ａの実装されたＴＣＰ４３ｂは、図５（Ａ）に示すように、放射線画像検出器１２における被写体の胸壁が接しない側の長辺１２ｄのみに多数配列して設けられる。
【００３１】
上記のようにＩＣチップ４０ａ，４３ａを配設することにより、乳房の放射線画像の撮影を行う際、被験者の胸壁ぎりぎりまでの放射線画像の撮影を行うことができ、胸壁近傍の病変の検出に適した放射線画像の撮影を行うことができる。
【００３２】
また、マルチプレクサ４４およびＡ/Ｄ変換器４５などを実装したプリント基板５０は、図５（Ｂ）に示すように、ＩＣチップ４０ａの実装されたＴＣＰ４０ｂに実装される。そして、ＴＣＰ４０ｂは、プリント基板５０が放射線画像検出器１２の放射線が照射される側とは反対側に位置するように折り曲げられて配設される。そして、さらに放射線画像検出器１２のガラス基板２３ｄ上のプリント基板５０に対向する位置には、放射線画像検出器１２を透過した放射線がプリント基板５０の照射されるのを防止する遮蔽板６０が設けられている。遮蔽板６０は、たとえば、鉛から形成するようにすればよい。
【００３３】
次に、本Ｘ線乳房撮影装置の作用について説明する。
【００３４】
本Ｘ線乳房撮影装置により撮影を行う際には、まず、アーム部１０が、図１に示す状態から矢印Ａ方向に９０度回転した状態となる。そして、乳房の大きさに応じて放射線画像検出器１２の長辺１２ａ側を用いるか、短辺１２ｂ側を用いるかが撮影者により選択される。たとえば、放射線画像検出器１２の短辺１２ｂ側を用いて撮影を行う場合には、放射線画像検出器１２を回転機構部１３ｃにより矢印Ｘ方向に回転させ、放射線画像検出器１２の短辺１２ｂが被験者の胸壁に接するように設置する（以下第１の設置状態という）。また、たとえば、放射線画像検出器１２の長辺１２ａ側を用いて撮影を行う場合には、放射線画像検出器１２を回転機構部１３ｃにより矢印Ｘ方向に回転させ、放射線画像検出器１２の長辺１２ａが被験者の胸壁に接するように設置する（以下第２の設置状態という）。
【００３５】
そして、放射線画像検出器１２が、第１の設置状態から第２の設置状態に切替えられた場合には、放射線画像検出器１２の長辺１２ａが被写体の胸壁に接するように、つまり第１の設置状態において短辺が位置していた位置にくるように移動部１３ｂがレール部１３ａに沿って矢印Ｙ１方向に移動する。また、放射線画像検出器１２が、第２の設置状態から第１の設置状態に切替えられた場合には、放射線画像検出器１２の短辺が被写体の胸壁に接するように、つまり第１の設置状態において長辺が位置していた位置にくるように移動部１３ｂがレール部１３ａに沿って矢印Ｙ２方向に移動する。
【００３６】
そして、図６に示すように、放射線画像検出器１２と圧迫板１０ｃとの間に乳房１が位置した状態で圧迫板１０ｃが矢印Ｚ１方向に移動し、放射線画像検出器１２と圧迫板１０ｃとに乳房１が挟持されて固定される。次に、放射線源１１から放射線が射出され、放射線源１１から射出された放射線は、圧迫板１０ｃおよび乳房１を透過して放射線画像検出器１２に照射される。放射線画像検出器１２に照射された放射線は電極層２１を透過して光導電層２２に照射され、光導電層２２において放射線の線量に応じた電荷が発生し、その電荷が検出素子２３ｅのコンデンサに蓄積されて放射線画像が記録される。そして、駆動回路部４０の制御信号に応じてＴＦＴスイッチ２３ａがオンオフ駆動され、このオンオフ駆動によりＴＦＴスイッチ２３ａに接続されたコンデンサに蓄積された電荷が電気信号として読み出される。読み出された電気信号は信号線４２に出力され、チャージアンプ４３により増幅され、マルチプレクサ４４およびＡ／Ｄ変換器４５を介してデジタル画像信号として読み出される。
【００３７】
上記のようにして読み出されたデジタル画像信号は、たとえば、所定の画像処理などが施された後、可視画像としてモニタなどに表示される。放射線画像検出器１２を第１の設置状態として放射線画像の撮影を行い、その放射線画像検出器１２から読み出されたデジタル画像信号に基づいてモニタに表示された可視画像の一例を図７（Ａ）、放射線画像検出器１２を第２の設置状態として放射線画像の撮影を行い、その放射線画像検出器１２から読み出されたデジタル画像信号に基づいてモニタに表示された可視画像の一例を図７（Ｂ）に示す。なお、上記可視画像は、実寸のサイズが２４０ｍｍ×３００ｍｍの画像を現すデジタル画像信号に基づいて表示されたものであるが、これらのサイズに限られるものではない。
【００３８】
上記Ｘ線乳房撮影装置によれば、放射線画像検出器１２として長方形の形状のものを利用し、その放射線画像検出器１２の設置部１３を、上記第１の設置状態と上記第２の設置状態とを切替可能に構成するようにしたので、被写体である乳房の大きさが比較的小さい場合には、放射線画像検出器１２を上記第１の設置状態として放射線画像検出器１２の短辺１２ｂが被験者の胸壁に接するようにし、また、乳房の大きさが比較的大きい場合には、放射線画像検出器１２を上記第２の設置状態として放射線画像検出器１２の長辺１２ａが被験者の胸壁に接するようにして放射線画像の撮影を行うことができ、１枚の放射線画像検出器１２で上述したような問題を招くことなく、大きさの異なる乳房の放射線画像の撮影を適切に行うことができる。
【００３９】
また、上記Ｘ線乳房撮影装置においては、放射線画像検出器１２を第１の設置状態として放射線画像の撮影を行う場合に、被験者の胸壁に接することのない短辺１２ｃを含む放射線画像検出器１２の一部に放射線が照射されないように、図８に示すように、その一部に照射される放射線を遮蔽する遮蔽部７０を設けるようにしてもよい。遮蔽部７０は、鉛などからなる板状のものであり、矢印Ｂ方向に回動可能に設置されている。そして、上記のように放射線画像検出器１２が第１の設置状態とされて放射線画像の撮影が行われる際にだけ、放射線画像検出器１２側に倒されて使用される。
【００４０】
上記のように遮蔽部７０を設けることにより、放射線画像検出器１２への無駄な被曝を回避でき、放射線画像検出器１２の寿命を延ばすことができる。
【００４１】
また、上記Ｘ線乳房撮影装置において、被写体において発生した散乱線を吸収するグリッドを放射線画像検出器１２に設置してＸ線撮影を行う場合には、放射線画像検出器１２の設置状態の切り替えに対しグリッドは回転させないようにする必要があるが、これについては、撮影者がグリッドを取り外し、放射線画像検出器１２の設置状態を切り替えた後、再び放射線画像検出器１２にグリッドを設置するようにしてもよいし、自動的にグリッドを待避させ、放射線画像検出器１２の設置状態を切り替えた後、再び自動的に放射線画像検出器１２にグリッドを設置するような機構を設けるようにしてもよい。なお、グリッドとは、放射線を吸収する鉛等の物質からなる吸収はくと、放射線を吸収せずに透過させる中間物質（例えば、木、紙、アルミニウム等）からなる透過はくとを交互に配置し、吸収はくにより散乱放射線を吸収除去するように構成されたものである。
【００４２】
また、上記実施形態においては、いわゆるＴＦＴ読取方式の放射線画像検出器を利用するようにしたが、いわゆる光読取方式の放射線画像検出器を利用するようにしてもよい。また、光読取方式の光源としては平面形状からなるＥＬ光源を利用してもよい。.
【図面の簡単な説明】
【００４３】
【図１】本発明の放射線画像記録装置の一実施形態を用いたＸ線乳房撮影装置の概略斜視図
【図２】図１に示すＸ線乳房撮影装置の２−２線断面図
【図３】図１に示すＸ線乳房撮影装置における放射線画像検出器の斜視図および一部断面図
【図４】図３に示す放射線画像検出器の一部詳細図
【図５】図１に示すＸ線乳房撮影装置における放射線画像検出器の駆動回路部、チャージアンプおよびプリント基板の配置を示す図
【図６】図１に示す乳房Ｘ線撮影装置の作用を説明するための図
【図７】図１に示すＸ線乳房撮影装置により撮影された可視画像の一例を示す図
【図８】本発明の放射線乳房撮影装置のその他の実施形態を用いたＸ線乳房撮影装置の概略構成図
【符号の説明】
【００４４】
１  乳房
１０  アーム部
１１  放射線源
１２  放射線画像検出器
１３  設置部
２０  軸部
２１  電極層
２２  光導電層
２３  電気信号検出層
３０  基台
４０  駆動回路部
４０ａ  ＩＣチップ
４０ｂ  ＴＣＰ
４３  チャージアンプ
５０  プリント基板
６０  遮蔽板
７０  遮蔽部
【図１】
0004610927.tif 000002
【図２】
0004610927.tif 000003
【図３】
0004610927.tif 000004
【図４】
0004610927.tif 000005
【図５】
0004610927.tif 000006
【図６】
0004610927.tif 000007
【図７】
0004610927.tif 000008
【図８】
0004610927.tif 000009